(57)【要約】【課題】  入射光を光電変換する固体撮像素子から出力された撮像信号を信号処理するＤＳＰを有した固体撮像装置において、撮像信号を伝送する際に発生する不要なノイズを低減する。【解決手段】  ＤＳＰ３Ａにおいて、撮像信号出力部１４からの撮像信号を一時記憶部３２に一時的に記憶させる。ＴＧ１５で生成されるタイミングパルス２３を撮像信号の伝送タイミング調整部３１で調整して伝送タイミング調整パルス２７を生成し、固体撮像素子（ＣＣＤ２）のブランキング期間内に、一時記憶部３２に記憶されている撮像信号２２を表示部４に伝送させる。【選択図】    図１
2005073077.tif 000002
【特許請求の範囲】
【請求項１】
入射光を光電変換する固体撮像素子から出力された撮像信号を信号処理する信号処理手段を有した固体撮像装置において、
該信号処理手段は、
該撮像信号を一時的に記憶する一時記憶手段と、
該固体撮像素子から出力される撮像信号の画像データ期間外の期間内に、該一時記憶手段に記憶された撮像信号を出力するように、伝送タイミング制御信号を出力調整して該一時記憶手段に供給する伝送タイミング調整手段とを備えた固体撮像装置。
【請求項２】
前記伝送タイミング調整手段は、前記画像データ期間外の期間の長さが該撮像信号の画像データ期間の長さよりも短い場合に、該画像データ期間外の期間内に前記一時記憶手段に記憶された撮像信号を出力可能とするように所定の同期信号を出力調整して該画像データ期間外の期間を伸ばす同期信号調整手段を更に有した請求項１に記載の固体撮像装置。
【請求項３】
入射光を光電変換する固体撮像素子から出力された撮像信号を信号処理する信号処理手段を有した固体撮像装置において、
該信号処理手段は、
１フレーム分の撮像信号を一時的に記憶する垂直信号記憶手段と、
該固体撮像素子から出力される撮像信号の画像データ期間外の垂直ブランキング期間内に、該垂直信号記憶手段に記憶された撮像信号を出力するように、垂直同期信号を出力調整して該垂直信号記憶手段に供給する垂直同期信号調整手段とを備えた固体撮像装置。
【請求項４】
前記垂直同期信号調整手段は、前記画像データ期間外の垂直ブランキング期間の長さが該画像データ期間の長さよりも短い場合に、該垂直ブランキング期間内に前記垂直信号記憶手段に記憶された撮像信号を出力可能とするように垂直同期信号を出力調整して該垂直ブランキング期間の長さを伸ばすようにした請求項３に記載の固体撮像装置。
【請求項５】
入射光を光電変換する固体撮像素子から出力された撮像信号を信号処理する信号処理手段を有した固体撮像装置において、
該信号処理手段は、
１ライン分の撮像信号を一時的に記憶する水平信号記憶手段と、
該固体撮像素子から出力される撮像信号の画像データ期間外の水平ブランキング期間内に、該水平信号記憶手段に記憶された撮像信号を出力するように、水平同期信号を出力調整して該水平信号記憶手段に供給する水平同期信号調整手段とを備えた固体撮像装置。
【請求項６】
前記水平同期信号調整手段は、前記画像データ期間外の水平ブランキング期間の長さが該画像データ期間の長さよりも短い場合に、該水平ブランキング期間内に前記水平信号記憶手段に記憶された撮像信号を出力可能とするように水平同期信号を出力調整して該水平ブランキング期間の長さを伸ばすようにした請求項５に記載の固体撮像装置。
【請求項７】
前記画像データ期間外の期間の長さが該画像データ期間の長さよりも短い場合に、該画像データ期間外の期間内に前記一時記憶手段に記憶された撮像信号を出力するように、該一時記憶手段に記憶された撮像信号の伝送速度を調整する伝送速度調整手段をさらに備えた請求項１に記載の固体撮像装置。
【請求項８】
前記画像データ期間外の期間の長さが該画像データ期間の長さよりも短い場合に、該画像データ期間外の期間内に前記一時記憶手段に記憶された撮像信号を出力するように、該一時記憶手段に記憶された撮像信号をデータ圧縮する撮像信号圧縮手段をさらに備えた請求項１に記載の固体撮像装置。
【請求項９】
前記記憶手段に記憶されている撮像信号が伝送される画像出力手段をさらに備えた請求項１、３、５，７および８のいずれかに記載の固体撮像装置。
【請求項１０】
前記信号処理手段は、信号処理後の撮像信号を前記記憶手段に出力する撮像信号出力手段をさらに備えた請求項１、３、５、７、８および９のいずれかに記載の固体撮像装置。
【発明の詳細な説明】
【技術分野】
【０００１】
本発明は、例えばビデオカメラ、電子スチルカメラおよび携帯電話用カメラなどの電子カメラに用いられ、固体撮像素子から出力された撮像信号を処理する固体撮像装置に関する。
【背景技術】
【０００２】
近年、例えばビデオカメラ、電子スチルカメラおよび携帯電話用カメラなどの電子カメラの用途に、上記固体撮像素子を用いた固体撮像装置が幅広く使用されている。この固体撮像装置で撮影して得られる画像をより高画質にすることが望まれている。このため、固体撮像装置においては、固体撮像素子から得られる撮像信号に対して所定の信号処理を行う際、および撮像信号を伝送して入出力する際に発生するノイズを低減するように制御されている。
【０００３】
図１２は、従来の固体撮像装置の構成を示すブロック図である。
【０００４】
図１２において、固体撮像装置１００は、光学レンズ１、固体撮像素子の一例であるＣＣＤ２、ディジタル信号処理部３（以下、ＤＳＰ３という）および表示部４を有している。ここでは、ＣＣＤ２から出力される撮像信号をＣＣＤ出力信号２１、ＤＳＰから出力される撮像信号をＤＳＰ出力信号２２という。
【０００５】
上記構成により、被写体からの像は光学レンズ１によって固体撮像素子の受光部上に結像される。この固体撮像素子の受光部上に到達した光は、ＣＣＤ２で光電変換されて、アナログ電気信号（以下、撮像信号という）となり、ＣＣＤ出力信号２１としてＤＳＰ３に伝送される。撮像信号は、ＤＳＰ３で各種信号処理された後に、表示部４に適したＤＳＰ出力信号２２として表示部４に伝送されて表示画面上に画像表示される。
【０００６】
ここで、ＤＳＰ３の内部構成について更に詳細に説明する。
【０００７】
ＤＳＰ３は、撮像信号前処理部１１、アナログ・ディジタル（Ａ／Ｄ）変換部１２、撮像信号メイン処理部１３、撮像信号出力部１４およびタイミング信号発生器１５（以下、ＴＧ１５という）を有している。
【０００８】
撮像信号前処理部１１では、撮像信号に対して、相関二重サンプリング処理（以下、ＣＤＳという）によるノイズの低減と、オートゲインコントロール（以下、ＡＧＣという）による振幅制御とが行われる。
【０００９】
Ａ／Ｄ１２では、アナログ信号の撮像信号がディジタル信号に変換された後、撮像信号メイン処理部１３に伝送される。
【００１０】
撮像信号メイン処理部１３では、ディジタル信号に変換された撮像信号に対して、ホワイトバランス制御（以下、ＷＢという）、自動露出制御（以下、ＡＥという）およびガンマ補正など、各種のディジタル信号画像処理が行われて撮像信号出力部１４に伝送される。
【００１１】
撮像信号出力部１４は、ディジタル信号画像処理が施された撮像信号を、表示部４に対応した方式の信号に変換して、ＴＧ１５で生成された垂直同期信号および水平同期信号など、出力画像を表示するために必要な各種タイミング信号と共に表示部４に出力される。
【００１２】
ＴＧ１５から出力されるタイミング信号の一例として、タイミングパルス２３、垂直同期信号（以下、ＶＤという）２４、水平同期信号（以下、ＨＤという）２５およびクロックパルス２６などが挙げられ、これらの各タイミング信号はそれぞれに関連する各処理部で同期信号として使用される。
【００１３】
このような従来の固体撮像装置１００として、例えば特許文献１には、固体撮像素子における映像期間外の期間であるブランキング期間（水平帰線期間）に、タイミング信号を生成させるものが開示されている。これは、ＴＧ１５内に設けられた分周回路の動作をブランキング期間内に行わせる技術であり、これによりＴＧ１５で生じる分周雑音信号が映像信号（撮像信号）に重畳されることなく、良質な映像信号を得ることができるものである。
【特許文献１】特開平９−２３３３９３公報
【発明の開示】
【発明が解決しようとする課題】
【００１４】
しかしながら、上述した従来の固体撮像装置１００では、撮像信号に対して、撮像信号を伝送することにより発生するノイズが影響し、画質が劣化してしまうという問題がある。
【００１５】
以下に、この問題について、例えば、図１３（ａ）に示すＣＣＤ出力信号の同期信号（垂直同期信号ＶＤ、水平同期信号ＨＤ）に対して、ＣＣＤ２から図１３（ｂ）に示すようなＣＣＤ出力信号が得られ、このＣＣＤ出力信号をＤＳＰ３で信号処理して図１３（ｃ）および図１３（ｄ）に示すようなＤＳＰ出力信号１および２が得られる場合について説明する。
【００１６】
図１３において、期間１０４は、固体撮像素子（ＣＣＤ２）における映像期間外の期間であるブランキング期間（ここでは水平同期信号帰還時（水平帰線期間）および垂直同期信号帰還時（垂直帰線帰還）の双方を含む）を示している。
【００１７】
また、図１３（ｃ）および図１３（ｄ）では、ＤＳＰ３での処理速度などを考慮して、それぞれＤＳＰ３からの出力開始位置が異なる信号を示している。この図１３（ｃ）および図１３（ｄ）において、期間１０１ａおよび１０１ｂはそれぞれ、ＤＳＰ内部において信号処理を開始するまでの時間を示している。
【００１８】
ここで、図１３に示す期間１０２ａおよび１０２ｂのように、ＣＣＤ出力信号の画像データ部と、ＤＳＰ出力信号の画像データ部とが一部重なって出力されると、回路基板の特性により、回路上のグランドを通して相互に影響を及ぼし合う。このため、図１３の矢印１０３ａおよび１０３ｂに示すように、撮像信号にＤＳＰ出力信号からの影響が生じてノイズが発生する。これらのノイズの影響により、画質が劣化してしまうという問題が生じる。
【００１９】
また、特許文献１の従来技術では、ブランキング期間にＴＧ１５でタイミング信号を生成させることにより、ＴＧ１５で生じる分周雑音信号が撮像信号に重畳されないようにすることができるものの、この特許文献１には、ＭＯＳ型イメージセンサから水平シフトレジスタの転送信号Ｏ１〜Ｏｍにより読み出されるＣＣＤ出力信号とＤＳＰ出力信号とのノイズの影響については何ら開示されていない。
【００２０】
本発明は、上記従来の問題を解決するもので、撮像信号を伝送する際に生じるノイズを低減して良好な画像を得ることができる固体撮像装置を提供することを目的とする。
【課題を解決するための手段】
【００２１】
本発明の固体撮像装置は、入射光を光電変換する固体撮像素子から出力された撮像信号を信号処理する信号処理手段を有した固体撮像装置において、該信号処理手段は、該撮像信号を一時的に記憶する一時記憶手段と、該固体撮像素子から出力される撮像信号の画像データ期間外の期間内に、該一時記憶手段に記憶された撮像信号を出力するように、伝送タイミング制御信号を出力調整して該一時記憶手段に供給する伝送タイミング調整手段とを備えており、そのことにより上記目的が達成される。
【００２２】
また、好ましくは、本発明の固体撮像装置における伝送タイミング調整手段は、前記画像データ期間外の期間の長さが該撮像信号の画像データ期間の長さよりも短い場合に、該画像データ期間外の期間内に前記一時記憶手段に記憶された撮像信号を出力可能とするように所定の同期信号を出力調整して該画像データ期間外の期間を伸ばす同期信号調整手段をさらに備えている。
【００２３】
本発明の固体撮像装置は、入射光を光電変換する固体撮像素子から出力された撮像信号を信号処理する信号処理手段を有した固体撮像装置において、該信号処理手段は、１フレーム分の撮像信号を一時的に記憶する垂直信号記憶手段と、該固体撮像素子から出力される撮像信号の画像データ期間外の垂直ブランキング期間内に、該垂直信号記憶手段に記憶された撮像信号を出力するように、垂直同期信号を出力調整して該垂直信号記憶手段に供給する垂直同期信号調整手段とを備えており、そのことにより上記目的が達成される。
【００２４】
また、好ましくは、本発明の固体撮像装置における垂直同期信号調整手段は、前記画像データ期間外の垂直ブランキング期間の長さが該画像データ期間の長さよりも短い場合に、該垂直ブランキング期間内に前記垂直信号記憶手段に記憶された撮像信号を出力可能とするように垂直同期信号を出力調整して該垂直ブランキング期間の長さを伸ばすようにしている。
【００２５】
本発明の固体撮像装置は、入射光を光電変換する固体撮像素子から出力された撮像信号を信号処理する信号処理手段を有した固体撮像装置において、該信号処理手段は、１ライン分の撮像信号を一時的に記憶する水平信号記憶手段と、該固体撮像素子から出力される撮像信号の画像データ期間外の水平ブランキング期間内に、該水平信号記憶手段に記憶された撮像信号を出力するように、水平同期信号を出力調整して該水平信号記憶手段に供給する水平同期信号調整手段とを備えており、そのことにより上記目的が達成される。
【００２６】
また、好ましくは、本発明の固体撮像装置における水平同期信号調整手段は、前記画像データ期間外の水平ブランキング期間の長さが該画像データ期間の長さよりも短い場合に、該水平ブランキング期間内に前記水平信号記憶手段に記憶された撮像信号を出力可能とするように水平同期信号を出力調整して該水平ブランキング期間の長さを伸ばすようにしている。
【００２７】
さらに、好ましくは、本発明の固体撮像装置において、画像データ期間外の期間の長さが該画像データ期間の長さよりも短い場合に、該画像データ期間外の期間内に前記一時記憶手段に記憶された撮像信号を出力するように、該一時記憶手段に記憶された撮像信号の伝送速度を調整する伝送速度調整手段をさらに備えている。
【００２８】
さらに、好ましくは、本発明の固体撮像装置において、画像データ期間外の期間の長さが該画像データ期間の長さよりも短い場合に、該画像データ期間外の期間内に前記一時記憶手段に記憶された撮像信号を出力するように、該一時記憶手段に記憶された撮像信号をデータ圧縮する撮像信号圧縮手段をさらに備えている。
【００２９】
さらに、好ましくは、本発明の固体撮像装置における記憶手段に記憶されている撮像信号が伝送される画像出力手段をさらに備えている。
【００３０】
さらに、好ましくは、本発明の固体撮像装置における信号処理手段は、信号処理後の撮像信号を前記記憶手段に出力する撮像信号出力手段をさらに備えている。
【００３１】
上記構成により、以下に、本発明の作用について説明する。
【００３２】
本発明にあっては、ＣＣＤなどの固体撮像素子とＤＳＰなどの信号処理手段とを有する固体撮像装置において、信号処理手段に、信号処理手段内で信号処理された好適なデータ量の撮像信号が一時的に記憶される一時記憶手段と、撮像信号の伝送タイミング制御信号（タイミングパルス）を出力調整する伝送タイミング調整手段とが設けられている。
【００３３】
信号処理後の撮像信号を表示手段やプリンタなどの画像出力手段に伝送する際には、伝送タイミング調整手段によって伝送タイミング制御信号が出力調整されて、固体撮像素子における映像期間（画像データ期間）外の期間であるブランキング期間内に一時記憶手段に供給される。この伝送タイミング制御信号に同期して、一時記憶手段に記憶されている撮像信号が画像出力手段に伝送される。
【００３４】
これによって、従来のように、固体撮像素子から出力される撮像信号の画像データと、信号処理手段から出力される撮像信号の画像データとが時間的に重なって出力されることを防ぐことができ、固体撮像素子から信号処理手段を通して伝送される撮像信号に発生するノイズが低減され得る。
【００３５】
また、本発明にあっては、信号処理手段内で信号処理された１フレーム分の撮像信号が一時的に記憶される垂直信号記憶手段と、撮像信号における画像データの出力期間の長さと垂直ブランキング期間の長さとに応じて垂直同期信号を出力調整する垂直同期信号調整手段とが設けられている。
【００３６】
信号処理された撮像信号を表示手段やプリンタなどの画像出力手段に伝送する際には、垂直同期信号調整手段によって垂直同期信号が出力調整されて、固体撮像素子の映像期間（画像データ期間）外の期間（垂直ブランキング期間）の長さを信号処理手段から出力される撮像信号の出力期間（画像データ期間）と同等かまたはその出力期間よりも長くする。また、垂直同期信号調整手段によって調整された垂直同期信号は、垂直信号記憶手段に供給され、その垂直同期信号に同期して、垂直信号記憶手段に記憶されている撮像信号が画像出力手段に伝送される。
【００３７】
これにより、従来のように、固体撮像素子から出力される撮像信号の画像データと、信号処理手段から出力される撮像信号の画像データとが時間的に重なって出力されることを防ぐことができ、固体撮像素子から信号処理手段を通して伝送される撮像信号に発生するノイズを低減することが可能となる。また、信号処理手段から出力される撮像信号の出力期間が、固体撮像素子から出力される撮像信号の垂直ブランキング期間よりも長く、固体撮像素子から出力される撮像信号の画像データと、信号処理手段から出力される撮像信号の画像データとが時間的に重なって出力されてノイズが生じるような場合でも、垂直ブランキング期間を長くして、垂直ブランキング期間内に信号処理手段から撮像信号が伝送されるようにすることが可能となる。
【００３８】
また、本発明にあっては、信号処理手段内で信号処理された１ライン分の撮像信号が一時的に記憶される水平信号記憶手段と、撮像信号における画像データ期間の長さと水平ブランキング期間の長さとに応じて水平同期信号を出力調整する水平同期信号調整手段とが設けられている。
【００３９】
信号処理された撮像信号を表示手段やプリンタなどの画像出力手段に伝送する際には、水平同期信号調整手段によって水平同期信号が出力調整されて、固体撮像素子出力信号における映像期間（画像データ期間）外の期間（水平ブランキング期間）の長さが信号処理手段出力信号の出力期間（画像データ期間）よりも長くなるように出力調整される。水平調整信号調整手段によって出力調整された水平同期信号は、水平信号記憶手段に供給され、その水平同期信号に同期して、水平信号記憶手段に記憶されている撮像信号が画像出力手段に伝送される。
【００４０】
これにより、従来のように、固体撮像素子から出力される撮像信号の画像データ期間と、信号処理手段から出力される撮像信号の画像データ部期間とが時間的に重なって出力されることを防ぐことができ、固体撮像素子から信号処理手段を通して伝送される撮像信号に対して、撮像信号が伝送されることに起因するノイズを低減することができる。また、信号処理手段出力信号（撮像信号）の出力期間（画像データ期間）が固体撮像素子出力信号（撮像信号）の水平ブランキング期間よりも長く、固体撮像素子出力信号（撮像信号）の画像データ期間と信号処理手段出力信号（撮像信号）の画像データ期間とが時間的に重なって信号出力されてノイズが生じるような場合でも、水平ブランキング期間を長くして、水平ブランキング期間内に信号処理手段から撮像信号が伝送（出力）されるようにすることが可能となる。また、垂直信号記憶手段に比べて記憶容量が少ない水平信号記憶手段により、固体撮像装置の回路規模をより小さくすることが可能となる。
【００４１】
また、上記一時記憶手段に記憶された撮像信号の伝送速度（周波数）を調整する伝送速度調整手段を設けることによって、撮像信号を好適な伝送速度（周波数）で固体撮像素子出力信号における映像期間（画像データ期間）外の期間に一時記憶手段から伝送させることが可能となる。これにより、前述したようなブランキング期間の長さ調整が不要となり、さらにブランキング期間を短くすることも可能となる。
【００４２】
また、上記一時記憶手段に記憶された撮像信号をデータ圧縮する撮像信号圧縮手段を設けることによって、撮像信号を好適なサイズにデータ圧縮して固体撮像素子出力信号における映像期間（画像データ期間）外の期間に一時記憶手段から伝送させることができる。これにより、前述したようなブランキング期間の調整が不要となり、さらにブランキング期間を短くすることも可能となる。
【発明の効果】
【００４３】
以上のように、本発明によれば、信号処理手段に、撮像信号の伝送タイミング調整手段および撮像信号の一時記憶手段を設けることにより、撮像信号の伝送タイミングを調整して、固体撮像素子のブランキング期間内に、一時記憶手段から外部に撮像信号を伝送させることができる。これにより、固体撮像素子から信号処理手段を通して伝送される撮像信号に対して、撮像信号を伝送することにより発生するノイズを低減することが可能になり、より良質な画像を得ることができる。
【００４４】
また、信号処理手段に、垂直同期信号調整手段および垂直信号記憶手段を設けることにより、固体撮像素子の垂直ブランキング期間の長さを調整（制御）して、固体撮像素子の垂直ブランキング期間内に撮像信号を伝送することができる。これにより、固体撮像素子から信号処理手段を通して伝送される撮像信号に対して、撮像信号を伝送することにより発生するノイズを低減することが可能になり、より良質な画像を得ることができる。
【００４５】
また、信号処理手段に水平同期信号調整手段および水平信号記憶手段を設けることにより、固体撮像素子の水平ブランキング期間の長さを調整（制御）して、固体撮像素子の水平ブランキング期間内に撮像信号を伝送することができる。これにより、固体撮像素子から信号処理手段を通して伝送される撮像信号に対して、撮像信号を伝送することにより発生するノイズを低減することが可能になり、より良質な画像を得ることができる。
【００４６】
さらに、信号処理手段に伝送速度調整手段を設けることによって、撮像信号の伝送速度（周波数）を調整して、固体撮像素子のブランキング期間が短くても固体撮像素子のブランキング期間内に撮像信号を伝送させてしまうことができる。
【００４７】
また、信号処理手段に撮像信号圧縮手段を設けることによって、撮像信号をデータ圧縮して、固体撮像素子のブランキング期間が短くても固体撮像素子のブランキング期間内に撮像信号を伝送させてしまうことができる。
【発明を実施するための最良の形態】
【００４８】
以下に、本発明の固体撮像装置の実施形態１〜５として、固体撮像素子（ＣＣＤ）から伝送される撮像信号（ＣＣＤ出力信号）と、信号処理後に信号処理手段（ＤＳＰ）から伝送される撮像信号（ＤＳＰ出力信号）とが相互に影響を及ぼし合わないように伝送タイミングを調整してノイズの発生を防止する場合について、図面を参照しながら詳細に説明する。
【００４９】
（実施形態１）
図１は、本発明の固体撮像装置の実施形態１における要部構成を示すブロック図である。なお、図１２の従来の固体撮像装置の構成部材と同様の作用効果を奏する部材には同様の符号を付してその説明を省略する。
【００５０】
図１において、固体撮像装置１０は、図１２に示す従来の固体撮像装置の構成に加えて、入射光を光電変換する固体撮像素子（ＣＣＤ２）から出力された撮像信号を信号処理する信号処理手段としてのＤＳＰ３Ａ内に、タイミング発生手段としてのＴＧ１５からのタイミングパルス２３を入力とする伝送タイミング調整手段としての伝送タイミング調整部３１と、この出力端に接続され、撮像信号出力部１４の出力端にも接続された一時記憶手段としての一時記憶部３２とを更に備えている。
【００５１】
伝送タイミング調整部３１では、ＴＧ１５から供給される伝送タイミング制御信号としてのタイミングパルス２３を出力調整して、伝送タイミング制御信号としての伝送タイミング調整パルス２７を一時記憶部３２に供給する。この伝送タイミング調整パルス２７は、ＣＣＤ出力信号（ＣＣＤ２から出力される撮像信号）における映像期間外の期間（撮像信号の画像データ期間外の期間）であるブランキング期間内（水平同期信号帰還時の水平帰線期間および垂直同期信号帰還時の垂直帰線期間の双方を含む）に撮像信号を一時記憶部３２から出力完了できるように、一時記憶部３の出力同期用の伝送タイミング調整パルス２７の出力タイミングが調整されている。
【００５２】
一時記憶部３２では、撮像信号前処理部１１、Ａ／Ｄ変換部１２および撮像信号メイン処理部１３で各種信号処理されて撮像信号出力部１４から伝送される所定のデータ量の撮像信号が一時的に記憶される。伝送タイミング調整部３１から供給される伝送タイミング調整パルス２７に同期して、記憶されている撮像信号がＤＳＰ出力信号２２として表示部４（またはプリンタ）などの画像出力手段に出力される。
【００５３】
図２は、図１の固体撮像装置１０の各部から出力される各信号の一例を示す信号波形図である。なお、図２では、ブランキング期間１０４の始めから若干ずらせて（遅延させて）ＤＳＰ出力信号が出力されているが、ブランキング期間１０４の始めからＤＳＰ出力信号が出力されていてもよい。
【００５４】
図２（ａ）はＣＣＤ出力信号２１の同期信号（垂直同期信号ＶＤ、水平同期信号ＨＤ）を示している。また、図２（ｂ）は図１３（ｂ）と同様のＣＣＤ出力信号２１を示している。図２（ｃ）および図２（ｄ）はそれぞれ、図１３（ｃ）および図１３（ｄ）と同様のＤＳＰ出力信号１および２に対して、伝送タイミング調整部３１および一時記憶部３２によって、伝送タイミングを調整した各信号を示している。
【００５５】
図２（ｃ）および図２（ｄ）に示すように、点線で示すＤＳＰ出力信号１０５ａおよび１０５ｂに対して、伝送タイミング調整部３１および一時記憶部３２によって伝送タイミングが時間１０６ａおよび１０６ｂだけ調整（遅延）されて、ＤＳＰ出力信号１および２がブランキング期間１０４内に出力されている。
【００５６】
これにより、ＣＣＤ出力信号２１の画像データ部と、従来のようにＤＳＰ出力信号２２の画像データ部とが重なって出力されることを防ぐことができる。これによって、固体撮像素子（ＣＣＤ２）からＤＳＰ３Ａを通して伝送される撮像信号に対して、撮像信号が伝送されることにより発生するノイズを低減することができ、表示部４の表示画面上において高画質の画像を表示させることができる。
【００５７】
次に、本実施形態１の固体撮像装置１０に関連する課題について、図３を用いて説明する。
【００５８】
図３（ａ）はＣＣＤ出力信号２１の同期信号（垂直同期信号ＶＤ、水平同期信号ＨＤ）を示している。図３（ｂ）はＣＣＤ出力信号２１を示している。図３（ｃ）はＤＳＰ出力信号を示している。図３（ｃ）において、期間１０１ｃはＤＳＰ３Ａ内部において信号処理に要する時間を示している。
【００５９】
図３（ｂ）および図３（ｃ）に示すように、ＣＣＤ出力信号のブランキング期間１０７ａがＤＳＰ出力信号の出力期間よりも短い場合には、図３（ｂ）に示す期間１０２ｃのように、ＣＣＤ出力信号の画像データと、ＤＳＰ出力信号の画像データとが重なって出力される。このような場合、図３の矢印１０３ｃに示すように、撮像信号にＤＳＰ出力信号からの影響が生じてノイズが発生する。これらのノイズの影響により、画質が劣化してしまうという問題が生じる。
【００６０】
そこで、以下の実施形態２、３では、ブランキング期間の長さを調整（制御）して固体撮像素子（ＣＣＤ２）のブランキング期間内にＤＳＰ出力信号を伝送する手法について説明する。また、以下の実施形態４、５では、ＤＳＰ出力信号２２の長さを調整して固体撮像素子（ＣＣＤ２）のブランキング期間内にＤＳＰ出力信号２２を伝送する手法について説明する。
【００６１】
（実施形態２）
図４は、本発明の固体撮像装置の実施形態２における要部構成を示すブロック図である。なお、図１２の固体撮像装置の構成部材と同様の作用効果を奏する部材には同様の符号を付してその説明を省略する。
【００６２】
図４において、固体撮像装置２０は、図１２に示す固体撮像装置の構成に加えて、入射光を光電変換する固体撮像素子（ＣＣＤ２）から出力された撮像信号を信号処理する信号処理手段としてのＤＳＰ３Ｂ内に、ＴＧ１５からの垂直同期信号（ＶＤ）２４を入力とする垂直同期信号調整手段としての垂直同期信号調整部３３と、この出力端に接続され、かつ撮像信号出力部１４の出力端に接続された一時記憶手段としての垂直信号記憶部３４とを更に備えている。
【００６３】
垂直同期信号調整部３３では、ＴＧ１５から供給される垂直同期信号（ＶＤ）２４のＨｉｇｈレベル期間（ハイレベル期間）およびＬｏｗレベル期間（ロウレベル期間）を好適な長さに調整して、調整垂直同期信号（ＣＶＤ）２８を垂直信号記憶部３４に供給する。この垂直同期信号２８は、撮像信号における画像データの長さと、ブランキング期間の長さとに応じて、ＣＣＤ出力信号２１における映像期間外の期間である垂直ブランキング期間内に撮像信号を垂直信号記憶部３４から出力できるように、垂直ブランキング期間が長く調整（可変制御）されている。具体的には、垂直同期信号調整部３３は、例えば、画像データの長さがブランキング期間の長さよりも長い場合に、これに合わせてブランキング期間を長くする時間を算出する計算処理部（図示せず）と、この計算結果に応じて垂直同期信号のＨｉｇｈレベル期間を制御する同期信号制御部（図示せず）とを有していてもよい。
【００６４】
垂直信号記憶部３４では、撮像信号前処理部１１、Ａ／Ｄ変換部１２および撮像信号メイン処理部１３で信号処理されて撮像信号出力部１４から伝送される１フレーム分の撮像信号が一時的に記憶される。垂直同期信号調整部３３から供給される調整垂直同期信号２８に同期して、この記憶された撮像信号がＤＳＰ出力信号２２として表示部４に出力される。
【００６５】
図５は、図４の固体撮像装置の各部から出力される各信号の一例を示す信号波形図である。
【００６６】
図５（ａ）は、図３（ａ）と同様のＣＣＤ出力信号２１の垂直同期信号ＶＤに対して、垂直同期信号調整部３３によってＨｉｇｈレベル期間を長く調整した調整垂直同期信号ＣＶＤを示している。また、図５（ｂ）は図３（ｂ）と同様のＣＣＤ出力信号２１を示している。また、図５（ｃ）は、図３（ｃ）と同様のＤＳＰ出力信号に対して、垂直同期信号調整部３３および垂直信号記憶部３４によって、伝送タイミングを調整（制御）した信号を示している。
【００６７】
図５（ａ）に示すように、垂直同期信号調整部３３によって調整垂直同期信号ＣＶＤのＨｉｇｈレベル期間が長く調整されたことによって、ブランキング期間１０７ｂが長く調整（設定制御）されている。また、図５（ｃ）に示すように、垂直同期信号調整部３３および垂直信号記憶部３４によって、点線で示すＤＳＰ出力信号１０５ｃに対して伝送タイミングが時間１０６ｃだけ調整（遅延）されて、ＤＳＰ出力信号がブランキング期間１０７ｂ内に出力されている。
【００６８】
これにより、ＤＳＰ出力信号２２の出力期間が固体撮像素子（ＣＣＤ２）の垂直ブランキング期間よりも短い場合でも、垂直ブランキング期間を好適な長さ（ＤＳＰ出力信号２２の出力期間を含む長さ）に調整（可変制御）して、垂直ブランキング期間内にＤＳＰから撮像信号（ＤＳＰ出力信号２２）が伝送されるようにすることができる。したがって、ＣＣＤ出力信号２１の画像データと、ＤＳＰ出力信号２２の画像データとが時間的に重なって出力されることを防ぐことができる。このため、固体撮像素子（ＣＣＤ２）からＤＳＰ３Ｂを通して伝送される撮像信号に対して、撮像信号が伝送されることにより発生するノイズを低減することができ、表示部４の表示画面上において高画質の画像を表示させることができる。
【００６９】
（実施形態３）
上記実施形態２では、垂直ブランキング期間を可変制御する場合について説明したが、本実施形態３では、水平ブランキング期間を可変制御する場合について説明する。
【００７０】
図６は、本発明の固体撮像装置の実施形態３における要部構成を示すブロック図である。なお、図１２の固体撮像装置の構成部材と同様の作用効果を奏する部材には同様の符号を付してその説明を省略する。
【００７１】
図６において、固体撮像装置３０は、図１２に示す従来の固体撮像装置の構成に加えて、入射光を光電変換する固体撮像素子（ＣＣＤ２）から出力された撮像信号を信号処理する信号処理手段としてのＤＳＰ３Ｃ内に、ＴＧ１５からの水平同期信号（ＨＤ）２５を入力とする水平同期信号調整手段としての水平同期信号調整部３５と、この出力端に接続され、かつ撮像信号出力部１４の出力端に接続された一時記憶手段としての水平信号記憶部３６とを更に備えている。
【００７２】
水平同期信号調整部３５では、ＴＧ１５から供給される水平同期信号（ＨＤ）２５のＨｉｇｈレベル期間およびＬｏｗレベル期間を好適な長さに調整して、調整水平同期信号（ＣＨＤ）２９を水平信号記憶部３６に供給する。この水平同期信号２９は、撮像信号における画像データの長さと、ブランキング期間の長さとに応じて、ＣＣＤ出力信号２１における映像期間外の期間である水平ブランキング期間内に撮像信号を水平信号記憶部３６から出力できるように、水平ブランキング期間が長く調整（可変制御）されている。具体的には、水平同期信号調整部３５は、例えば、画像データの長さがブランキング期間の長さよりも長い場合に、これに合わせてブランキング期間を長くする時間を算出する計算処理部（図示せず）と、この計算結果に応じて水平同期信号のＨｉｇｈレベル期間を制御する同期信号制御部（図示せず）とを有していてもよい。
【００７３】
水平信号記憶部３６は、撮像信号前処理部１１、Ａ／Ｄ変換部１２および撮像信号メイン処理部１３で信号処理されて撮像信号出力部１４から伝送される１ライン分の撮像信号が一時的に記憶される。水平同期信号調整部３５から供給される調整水平同期信号２９に同期して、記憶されている撮像信号がＤＳＰ出力信号２２として表示部４に出力される。
【００７４】
図７は、図６の固体撮像装置３０の各部から出力される各信号の一例を示す信号波形図である。
【００７５】
図７（ａ）は、図３（ａ）と同様のＣＣＤ出力信号２１の水平同期信号ＨＤに対して、水平同期信号調整部３５によってＨｉｇｈレベル期間を長く調整した調整水平同期信号ＣＨＤを示している。図７（ｂ）は図３（ｂ）と同様のＣＣＤ出力信号２１を示している。図７（ｃ）は、図３（ｃ）と同様のＤＳＰ出力信号２２に対して、水平同期信号調整部３５および水平信号記憶部３６によって、伝送タイミングを調整した信号を示している。
【００７６】
図７（ａ）に示すように、水平同期信号調整部３５によって調整水平同期信号ＣＨＤのＨｉｇｈレベル期間が長く調整されたことによって、ブランキング期間１０７ｂが長く調整（可変制御）されている。また、図７（ｃ）に示すように、水平同期信号調整部３５および水平信号記憶部３６によって、点線で示すＤＳＰ出力信号１０５ｃに対して伝送タイミングが時間１０６ｃだけ調整（遅延制御）されて、ＤＳＰ出力信号２２がブランキング期間１０７ｂ内に収まるように出力されている。
【００７７】
これにより、ＤＳＰ出力信号２２の出力期間が固体撮像素子（ＣＣＤ２）の水平ブランキング期間よりも長い場合でも、水平ブランキング期間を好適な長さ（ＤＳＰ出力信号２２の出力期間を含む期間）に調整（可変制御）して、水平ブランキング期間内にＤＳＰ３Ｃから撮像信号が伝送されるようにすることができる。したがって、従来のように、ＣＣＤ出力信号２１の画像データと、ＤＳＰ出力信号２２の画像データとが互いに時間的に重なって出力されることを防ぐことができる。このため、固体撮像素子（ＣＣＤ２）からＤＳＰ３Ｃを通して伝送される撮像信号に対して、撮像信号が伝送されることにより発生するノイズを低減することができ、出力画像表示用の表示部４の表示画面上において高画質な画像を表示させることができる。さらに、上記実施形態２の垂直信号記憶部３４に比べて記憶容量が少ない水平信号記憶部３６により、固体撮像装置の回路規模をより小さくすることができる。
【００７８】
（実施形態４）
図８は、本発明の固体撮像装置の実施形態４における要部構成を示すブロック図である。なお、図１の固体撮像装置の構成部材と同様の作用効果を奏する部材には同様の符号を付してその説明を省略する。
【００７９】
図８において、固体撮像装置４０は、図１に示す固体撮像装置１０の構成に加えて、入射光を光電変換する固体撮像素子（ＣＣＤ２）から出力された撮像信号を信号処理する信号処理手段としてのＤＳＰ３Ｄ内に、ＴＧ１５からのクロックパルス２６を入力とし、一時記憶部３２に速度調整（周波数可変制御）後の信号を出力する伝送速度調整手段としての伝送速度調整部３７を更に備えている。
【００８０】
伝送速度調整部３７では、ＴＧ１５から供給されるクロックパルス２６を好適な周波数に調整して、伝送速度調整パルス３８として一時記憶部３２に供給する。この伝送速度調整パルス３８は、撮像信号における画像データの長さと、ブランキング期間の長さとに応じて、ＣＣＤ出力信号２１における映像期間外の期間であるブランキング期間内（水平同期信号帰還時の水平帰線期間および垂直同期信号帰還時の垂直帰線期間の双方を含む）に撮像信号を一時記憶部３２から出力できるように周波数が調整（可変制御）されている。具体的には、伝送速度調整部３７は、例えば、画像データの長さがブランキング期間の長さよりも長い場合に、ブランキング期間に合わせて画像データの長さを短くする時間に対応した周波数を算出する計算処理部（図示せず）と、この計算結果に応じてクロックパルス２６の周波数を可変制御する周波数制御部（図示せず）とを有していてもよい。
【００８１】
一時記憶部３２は、撮像信号前処理部１１、Ａ／Ｄ変換部１２および撮像信号メイン処理部１３で信号処理されて撮像信号出力部１４から伝送される所定のデータ量の撮像信号が一時的に記憶される。伝送タイミング調整部３１から供給される伝送タイミング調整パルス２７と、伝送速度調整部３７から伝送されてくる伝送速度調整パルス３８とに同期して、記憶されている撮像信号が好適な速度に調整されて、ＤＳＰ出力信号２２として表示部４に出力される。
【００８２】
図９は、図８の固体撮像装置の各部から出力される各信号の一例を示す信号波形図である。
【００８３】
図９（ａ）は、図３（ａ）と同様のＣＣＤ出力信号２１の同期信号（水平同期信号ＨＤ、垂直同期信号ＶＤ）を示している。図９（ｂ）は、図３（ｂ）と同様のＣＣＤ出力信号２１を示している。図９（ｃ）は、図３（ｃ）と同様のＤＳＰ出力信号２２に対して、伝送タイミング調整部３１、一時記憶部３２および伝送速度調整部３７によって、伝送タイミングおよび伝送速度を調整した信号を示している。
【００８４】
図９（ｃ）に示すように、一時記憶部３２、伝送タイミング調整部３１および伝送速度調整部３７によってＤＳＰ出力信号２２の伝送タイミングおよび伝送速度（周波数）が調整（可変制御）されて、ＤＳＰ出力信号２２の出力期間が短くなり、ブランキング期間１０７ａ内に収められた状態で出力されている。
【００８５】
これにより、ＤＳＰ出力信号２２の出力期間が固体撮像素子（ＣＣＤ２）のブランキング期間よりも長い場合でも、伝送速度（周波数）を調整（高く可変制御）することによりＤＳＰ出力信号２２の出力期間を好適な長さに調整（出力期間短縮制御）して、ブランキング期間内にＤＳＰ３Ｄから撮像信号が伝送されるようにできる。したがって、従来のように、ＣＣＤ出力信号２１の画像データと、ＤＳＰ出力信号２２の画像データとが時間的に重なって出力されることを防ぐことができる。このため、固体撮像素子（ＣＣＤ２）からＤＳＰ３Ｄを通して伝送される撮像信号に対して、撮像信号が伝送されることにより発生するノイズを低減することができ、表示部４の表示画面上において高画質の画像を表示させることができる。さらに、上記実施形態２、３のようなブランキング期間の調整が不要となり、ブランキング期間を短く設定することもできる。
【００８６】
（実施形態５）
上記実施形態４ではＤＳＰ出力信号２２の出力期間をブランキング期間内に収めるのにＤＳＰ出力信号２２の周波数を高くしてその出力期間を短縮するようにしたが、本実施形態５では、ＤＳＰ出力信号２２の出力期間をブランキング期間内に収めるのにＤＳＰ出力信号２２を信号圧縮する場合について説明する。
【００８７】
図１０は、本発明の固体撮像装置の実施形態５における要部構成を示すブロック図である。なお、図１の固体撮像装置の構成部材と同様の作用効果を奏する部材には同様の符号を付してその説明を省略する。
【００８８】
図１０において、固体撮像装置５０は、図１に示す固体撮像装置１０の構成に加えて、入射光を光電変換する固体撮像素子（ＣＣＤ２）から出力された撮像信号を信号処理する信号処理手段としてのＤＳＰ３Ｅ内に、撮像信号圧縮手段としての撮像信号圧縮部３９を更に備えている。
【００８９】
撮像信号圧縮部３９は、一時記憶部３２に記憶されている撮像信号を圧縮する。この撮像信号は、撮像信号における画像データの長さと、ブランキング期間の長さとに応じて、ＣＣＤ出力信号２１における映像期間外の期間であるブランキング期間内（水平同期信号帰還時の水平帰線期間および垂直同期信号帰還時の垂直帰線期間の双方を含む）に撮像信号を一時記憶部３２から出力できるように、データ量が調整されている。具体的には、撮像信号圧縮部３９は、例えば、画像データの長さがブランキング期間の長さよりも長い場合に、ブランキング期間に合わせてデータ圧縮した画像データのデータ圧縮量を算出する計算処理部（図示せず）と、この計算結果に応じて画像データを圧縮するデータ圧縮部（図示せず）とを有していてもよい。
【００９０】
一時記憶部３２は、撮像信号前処理部１１、Ａ／Ｄ変換部１２および撮像信号メイン処理部１３で信号処理されて撮像信号出力部１４から伝送される所定のデータ量の撮像信号が一時的に記憶される。伝送タイミング調整部３１から供給される伝送タイミング調整パルス２７に同期して、信号圧縮された撮像信号がＤＳＰ出力信号２２として表示部４に出力される。
【００９１】
図１１は、図１０の固体撮像装置５０の各部から出力される各信号の一例を示す信号波形図である。
【００９２】
図１１（ａ）は、図３（ａ）と同様のＣＣＤ出力信号２１の同期信号（水平同期信号ＨＤ、垂直同期信号ＶＤ）を示している。図１１（ｂ）は、図３（ｂ）と同様のＣＣＤ出力信号２１を示している。図１１（ｃ）は、図３（ｃ）と同様のＤＳＰ出力信号に対して、伝送タイミング調整部３１、一時記憶部３２および撮像信号圧縮部３９によって、撮像信号を所定のデータ量（ブランキング期間１０７ａ内に収容され得るデータ量）にデータ圧縮すると共に伝送タイミングを調整した信号を示している。
【００９３】
図９（ｃ）に示すように、伝送タイミング調整部３１、一時記憶部３２および撮像信号圧縮部３８によって、ＤＳＰ出力信号２２が所定のデータ量にデータ圧縮されると共に伝送タイミングが調整（可変制御）されて、ＤＳＰ出力信号２２の出力期間が全体として短くなり、ブランキング期間１０７ａ内に収容される状態で出力されている。
【００９４】
これにより、ＤＳＰ出力信号２２の出力期間が固体撮像素子（ＣＣＤ２）のブランキング期間よりも短い場合でも、撮像信号をデータ圧縮してそのデータ量を調整することにより出力期間を好適な長さに調整（可変制御）して、ブランキング期間内にＤＳＰ３Ｅから撮像信号が伝送されるようにすることができる。したがって、従来のように、ＣＣＤ出力信号２１の画像データと、ＤＳＰ出力信号２２の画像データとが時間的に重なって出力されることを防ぐことができる。このため、固体撮像素子（ＣＣＤ２）からＤＳＰ３Ｅを通して伝送される撮像信号に対して、撮像信号が伝送されることにより発生するノイズを低減することができ、表示部４の表示画面上において高画質の画像を表示させることができる。さらに、上記実施形態２、３のようなブランキング期間自体の調整が不要となり、ブランキング期間を更に短くすることができる。
【００９５】
なお、上記実施形態１〜５では、信号処理後の撮像信号に対して本発明の伝送タイミング調整を行ったが、これに限らず、信号処理前または、信号処理間の撮像信号に対して本発明の伝送タイミング調整を行ってもよい。
【００９６】
また、画像データ期間外の期間としてブランキング期間の長さが撮像信号の画像データ期間の長さよりも短い場合に、上記実施形態２では垂直ブランキング期間の長さを撮像信号の画像データ期間の長さ以上に調整して垂直ブランキング期間内にＤＳＰ出力信号を出力させるように構成し、また、上記実施形態３では水平ブランキング期間の長さを撮像信号の画像データ期間の長さ以上に調整してその水平ブランキング期間内にＤＳＰ出力信号を伝送させるように構成するようにしたが、これらに限らず、垂直ブランキング期間の長さを撮像信号の画像データ期間の長さ以上に出力調整してその垂直ブランキング期間内にＤＳＰ出力信号を伝送させると共に、水平ブランキング期間の長さを撮像信号の画像データ期間の長さ以上に出力調整してその水平ブランキング期間内にＤＳＰ出力信号を伝送させるように構成してもよい。この場合（実施形態２，３を合体した場合）に、垂直同期信号調整部３３および垂直信号記憶部３４と、水平同期信号調整部３５および水平信号記憶部３６とを共に有し、垂直信号記憶部３４および水平信号記憶部３６には撮像信号出力部１４から信号処理後の撮像信号が供給されるようにすればよい。
【００９７】
また、上記実施形態１の伝送タイミング調整部３１内に、垂直同期信号を入力とし、垂直ブランキング期間の長さを撮像信号の画像データ期間の長さ以上に伸ばす機能と、水平同期信号を入力とし、水平ブランキング期間の長さを撮像信号の画像データ期間の長さ以上に伸ばす機能との少なくともいずれかを有する同期信号調整手段としての同期信号調整部（図１に図示せず）を設けてもよい。これによって、上記実施形態１において、画像データ期間外の期間としてブランキング期間の長さが撮像信号の画像データ期間の長さよりも短い場合にも、画像データ期間外の期間（ブランキング期間）内に一時記憶手段に記憶された撮像信号を出力可能とするように所定の同期信号（垂直同期信号および水平同期信号の少なくともいずれか）をも出力調整して画像データ期間外の期間（ブランキング期間）を適宜伸ばすことができる。
【００９８】
さらに、上記実施形態１、４、５を合体して構成することもできる。また、上記実施形態２〜５の少なくとも二つを合体して構成することもできる。
【産業上の利用可能性】
【００９９】
例えばビデオカメラ、電子スチルカメラおよび携帯電話用カメラなどの電子カメラに用いられる固体撮像装置の分野において、固体撮像素子（ＣＣＤ２）で撮像した撮像信号を伝送する際に生じるノイズを低減して良好な画像を得ることができる。
【図面の簡単な説明】
【０１００】
【図１】本発明の固体撮像装置の実施形態１における要部構成を示すブロック図である。
【図２】（ａ）〜（ｄ）はそれぞれ、図１の固体撮像装置の各部から出力される各信号の一例を示す信号波形図である。
【図３】（ａ）〜（ｃ）はそれぞれ、図１の固体撮像装置の課題を説明するための信号波形図である。
【図４】本発明の固体撮像装置の実施形態２における要部構成を示すブロック図である。
【図５】（ａ）〜（ｃ）はそれぞれ、図４の固体撮像装置の各部から出力される各信号の一例を示す信号波形図である。
【図６】本発明の固体撮像装置の実施形態３における要部構成を示すブロック図である。
【図７】（ａ）〜（ｃ）はそれぞれ、図６の固体撮像装置の各部から出力される各信号の一例を示す信号波形図である。
【図８】本発明の固体撮像装置の実施形態４における要部構成を示すブロック図である。
【図９】（ａ）〜（ｃ）はそれぞれ、図８の固体撮像装置の各部から出力される各信号の一例を示す信号波形図である。
【図１０】本発明の固体撮像装置の実施形態５における要部構成を示すブロック図である。
【図１１】（ａ）〜（ｃ）はそれぞれ、図１０の固体撮像装置の各部から出力される各信号の一例を示す信号波形図である。
【図１２】従来の固体撮像装置の要部構成を示すブロック図である。
【図１３】（ａ）〜（ｄ）はそれぞれ、図１２の固体撮像装置の各部から出力される各信号の一例を示す信号波形図である。
【符号の説明】
【０１０１】
１  光学レンズ
２  固体撮像素子（ＣＣＤ）
３Ａ〜３Ｅ  ディジタル信号処理部（信号処理手段；ＤＳＰ）
４  表示部（画像出力手段）
１０，２０，３０，４０，５０  固体撮像装置
１１  撮像信号前処理部（ＣＤＳ／ＡＧＣ）
１２  アナログ・ディジタル（Ａ／Ｄ）変換部
１３  撮像信号メイン処理部
１４  撮像信号出力部（撮像信号出力手段）
１５  タイミング信号発生器（ＴＧ）
２１  ＣＣＤ出力信号
２２  ＤＳＰ出力信号
２３  タイミングパルス
２４  垂直同期信号（ＶＤ）
２５  水平同期信号（ＨＤ）
２６  クロックパルス
２７  伝送タイミング調整パルス（伝送タイミング制御信号）
２８  調整垂直同期信号（ＣＶＤ）
２９  調整垂直同期信号（ＣＨＤ）
３１  伝送タイミング調整部
３２  一時記憶部（一時記憶手段）
３３  垂直同期信号調整部（垂直同期信号調整手段）
３４  垂直信号記憶部（垂直信号記憶手段）
３５  水平同期信号調整部（水平同期信号調整手段）
３６  水平信号記憶部（水平信号記憶手段）
３７  伝送速度調整部（伝送速度調整手段）
３８  伝送速度調整パルス
３９  撮像信号圧縮部（撮像信号圧縮手段）
１０１ａ〜１０１ｃ  ＤＳＰ内部において信号処理に要する時間
１０２ａ〜１０２ｃ  ノイズが発生する期間
１０３ａ〜１０３ｃ  ＤＳＰ出力信号からの影響
１０４  ブランキング期間
１０５ａ〜１０５ｃ  調整前のＤＳＰ出力信号
１０６ａ〜１０６ｃ  伝送タイミング調整時間
１０７ａ  調整前のブランキング期間
１０７ｂ  調整後のブランキング期間
【図１】
2005073077.tif 000003
【図２】
2005073077.tif 000004
【図３】
2005073077.tif 000005
【図４】
2005073077.tif 000006
【図５】
2005073077.tif 000007
【図６】
2005073077.tif 000008
【図７】
2005073077.tif 000009
【図８】
2005073077.tif 000010
【図９】
2005073077.tif 000011
【図１０】
2005073077.tif 000012
【図１１】
2005073077.tif 000013
【図１２】
2005073077.tif 000014
【図１３】
2005073077.tif 000015